(57)【要約】      （修正有）【課題】ストラップ取付け部が邪魔とならない携帯電子機器を提供する。【解決手段】携帯電話機は、内部にバッテリー収納部が形成された第２筐体３と、第２筐体３における一方向においてバッテリー収納部を挟んだ両側に形成され、バッテリー収納部上の第２筐体３の表面上を渡してベルト状のベルトストラップ４０を懸架可能な第１及び第２のストラップブラケット（８、９）と、を有し、前記第１及び第２のストラップブラケット（８，９）は、外部側の露出面が第２筐体３の厚さ方向において当該第２筐体３の表面と同一又は当該表面より内方に形成され、ベルトストラップ４０が懸架されるストラップ取付部がそれぞれ形成されている。【選択図】図４
2010171731.tif 000002
【特許請求の範囲】
【請求項１】
内部にバッテリー収納部が形成された筐体と、
該筐体における一方向において、前記バッテリー収納部を挟んだ両側に形成され、前記バッテリー収納部上の前記筐体の表面上を渡してベルト状のストラップを懸架可能な第１及び第２のストラップブラケットと、を有し、
該第１及び第２のストラップブラケットは、外部側の露出面が前記筐体の厚さ方向において当該筐体の表面と略同一又は当該表面より内方に形成され、前記ベルト状のストラップが懸架されるストラップ取付部がそれぞれ形成されている
携帯電子機器。
【請求項２】
前記第１及び第２のストラップブラケットは、
それぞれ前記ストラップ取付部と対向するように前記筐体の内部位置に形成されたストラップブラケットベース部と、
前記ストラップ取付部を挟んで前記筐体表面から前記ストラップブラケットベース部に接続するように形成され、前記ストラップブラケットベース部を含んで前記ベルト状のストラップを当該ストラップ取付部に巻回し可能な巻回空間を形成するストラップ取付部支持部と、
を有する、請求項１に記載の携帯電子機器。
【請求項３】
前記第１及び第２のベルトストラップ取付け部の一方は、
前記ストラップブラケットベース部の前記ストラップ取付部支持部との接続側と反対側が延接され、前記筐体の内部筐体に一部が当接するように形成された延長部を有する
請求項２に記載の携帯電子機器。
【請求項４】
表示部と、
撮像部と、を有し、
前記表示部及び撮像部は、前記第１ベルトストラップ取付け部及び前記第２ベルトストラップ取付け部よりも外部側に配設される
請求項１〜３いずれか１項に記載の携帯電子機器。
【請求項５】
前記筐体は非接触式ＩＣカード用のアンテナを有し、
前記非接触式ＩＣカード用のアンテナは、前記第１ベルトストラップ取付け部、前記第２下部ベルトストラップ取付け部及びバッテリー収納部が配設されている側とは反対側に配設されている
請求項１〜４いずれか１項に記載の携帯電子機器。
【発明の詳細な説明】
【技術分野】
【０００１】
本発明は携帯電話機、ＰＤＡ、携帯型ゲーム機、携帯用テレビ、携帯用ラジオ等の携帯電子機器に関する。
【背景技術】
【０００２】
図１は一般的な携帯電話機のストラップの取付け部１０８である。このようにストラップ取付け部１０８は、紐状のストラップを取り付けるために筐体の側部に抜け穴状の小さな穴が１つ空けられている。
現在、携帯電話機１は多機能化しており、非接触式ＩＣカードなどの機能をも携帯電話機は果たすようになってきている。
したがって、携帯電話機はユーザによって、常に手に持って持ち運ぶ事態が想定されるようになってきている。常に手で持ち運ばないユーザであっても非接触式ＩＣカードをリーダ端末に接触又は近づける際には携帯電話機を取り出して、手に持つこととなる。
このように手で持ち運ぶ機会が多いと、携帯電話機を落としてしまうことが起こりうる。
かかる事態を防ぐために特許文献１ではストラップベルト１４０を採用し、このストラップベルト１４０を携帯電話機に係止するストラップ取付け部１０９を２個設けている（図２参照のこと）。
【先行技術文献】
【特許文献】
【０００３】
【特許文献１】特開２００６―２７９９０７号公報
【発明の概要】
【発明が解決しようとする課題】
【０００４】
しかしながら、特許文献１におけるストラップ取付け部１０９は筐体外部に突出しており、携帯電話機の外観を害していた。さらにストラップを取り付けないユーザにとってはこのストラップ取付け部は不要な物であることに加えて、突出して空間を取ってしまうという欠点があった。さらに、筐体外部に突出部分があると何かに引っかけてしまうことが起こりえるので、この点からも、突出部分があることは好ましくない。
【０００５】
本発明の目的は、ストラップ取付け部が邪魔とならない携帯電子機器を提供することである。
【課題を解決するための手段】
【０００６】
本発明の携帯電子機器は、内部にバッテリー収納部が形成された筐体と、該筐体における一方向において、前記バッテリー収納部を挟んだ両側に形成され、前記バッテリー収納部上の前記筐体の表面上を渡してベルト状のストラップを懸架可能な第１及び第２のストラップブラケットと、を有し、該第１及び第２のストラップブラケットは、外部側の露出面が前記筐体の厚さ方向において当該筐体の表面と略同一又は当該表面より内方に形成され、前記ベルト状のストラップが懸架されるストラップ取付部がそれぞれ形成されている。
【０００７】
好適には、前記第１及び第２のストラップブラケットは、それぞれ前記ストラップ取付部と対向するように前記筐体の内部位置に形成されたストラップブラケットベース部と、前記ストラップ取付部を挟んで前記筐体表面から前記ストラップブラケットベース部に接続するように形成され、前記ストラップブラケットベース部を含んで前記ベルト状のストラップを当該ストラップ取付部に巻回し可能な巻回空間を形成するストラップ取付部支持部と、を有する。
【０００８】
好適には、前記第１及び第２のベルトストラップ取付け部の一方は、前記ストラップブラケットベース部の前記ストラップ取付部支持部との接続側と反対側が延接され、前記筐体の内部筐体に一部が当接するように形成された延長部を有する。
【０００９】
好適には、表示部と、撮像部と、を有し、前記表示部及び撮像部は、前記第１ベルトストラップ取付け部及び前記第２ベルトストラップ取付け部よりも外部側に配設される。
【００１０】
好適には、前記筐体は非接触式ＩＣカード用のアンテナを有し、前記非接触式ＩＣカード用のアンテナは、前記第１ベルトストラップ取付け部、前記第２下部ベルトストラップ取付け部及びバッテリー収納部が配設されている側とは反対側に配設されている。
【発明の効果】
【００１１】
本発明によると、ストラップ取付け部が邪魔とならない携帯電子機器を提供することができる。
【図面の簡単な説明】
【００１２】
【図１】従来のストラップ取付け部の図である。
【図２】特許文献１記載のストラップ取付け部の図である。
【図３】本発明の実施形態に係る携帯電子機器としての携帯電話機１の外観を開状態で示す斜視図である。
【図４】外部側方向の位置から内部側方向を向いて第２筐体３を斜めから見た外観の斜視図である。
【図５】図４におけるＶ−Ｖの断面図である。
【図６】バッテリーカバー１０及びバッテリー１２を除去した第２筐体リアケース７を見た外観斜視図である。
【図７】第２筐体３を内部側から見た外観図である。
【図８】第２筐体リアケース７の拡大斜視図である。
【図９】上部ストラップブラケット８の拡大図である。
【図１０】図６のＸ−Ｘ断面図である。
【図１１】非接触式ＩＣカードのアンテナを配置する場合の一例を表した図である。
【発明を実施するための形態】
【００１３】
図３は、本発明の実施形態に係る携帯電子機器としての携帯電話機１の外観を開状態で示す斜視図である。
【００１４】
携帯電話機１は、いわゆる折り畳み式の携帯電話機１として構成されており、開状態と閉状態との間で互いに回動可能に連結された第１筐体２及び第２筐体３を有している。図３は、第１筐体２及び第２筐体３の開状態を示している。第１筐体２は、第２筐体３と対向する部分を構成する第１筐体フロントケース４と、第２筐体３とは反対側部分を構成する第１筐体リアケース５とを有している。第２筐体３は、第１筐体２と対向する部分を構成する第２筐体フロントケース６と、第１筐体２とは反対側部分を構成する第２筐体リアケース７とを有している。
【００１５】
第１筐体フロントケース４及び第１筐体リアケース５はネジ等により互いに固定され、第１筐体フロントケース４及び第１筐体リアケース５の間に形成された空間に種々の電子部材を収容する収容空間を構成する。第２筐体フロントケース６及び第２筐体リアケース７もネジ等により互いに固定され、第２筐体フロントケース６及び第２筐体リアケース７の間に形成された空間に種々の電子部材を収容する収容空間を構成する。
これらの第１筐体フロントケース４、第１筐体リアケース５、第２筐体フロントケース６及び第２筐体リアケース７は、例えば、樹脂により形成されている。
【００１６】
なお、方向を示すときは、第１筐体リアケース５から第１筐体フロントケース４に向かう方向を内部側方向ＩＰＲＣといい、第１筐体フロントケース４から第１筐体リアケース５に向かう方向を外部側方向ＯＰＲＣという。
同様に第２筐体リアケース７から第２筐体フロントケース６に向かう方向を内部側方向ＩＰＲＣといい、第２筐体フロントケース６から第２筐体リアケース７に向かう方向を外部側方向ＯＰＲＣという。
【００１７】
図４は、外部側方向の位置から内部側方向を向いて第２筐体３を斜めから見た外観の斜視図である。
【００１８】
第２筐体リアケース７は、ベルトストラップ４０を通してストラップを固定するための上部ストラップブラケット８及び下部ストラップブラケット９を有する。
上部ストラップブラケット８にベルトストラップ４０の一端が取り付けられ、下部ストラップブラケット９にベルトストラップ４０の他端が取り付けられる。
ベルトストラップ４０は帯状の形状をしているので、紐状のストラップに比べストラップが手に食い込むことがない。
さらに、手の指方向に長い帯状なのであるから、ベルトストラップ４０と第２筐体リアケースの間に指又は手の平を挿入した場合に、ユーザはより安定的に携帯電話機１を把持することができる。
【００１９】
上部ストラップブラケット８と下部ストラップブラケット９との間には、バッテリーカバー１０がある。このバッテリーカバー１０で覆われている第２筐体３内部には後述するバッテリー収納部１１が存在し、そのバッテリー収納部１１はバッテリー１２を収納するためのものである。
つまり、上部ストラップブラケット８及び下部ストラップブラケット９はバッテリー収納部１１に隣接して配置されている。
【００２０】
上部ストラップブラケット８及び下部ストラップブラケット９は、ベルトストラップ４０を通して、ベルトストラップ４０を固定することを目的としているため、第１筐体２及び第２筐体３よりもさらに強度を必要とする。
そこで、上部ストラップブラケット８及び下部ストラップブラケット９は、例えば、ガラス繊維を中に混入したナイロン樹脂等の強度の高いプラスチックで構成する。もっとも、プラスチックに限定する趣旨ではなく、金属によって構成されていてもよい。
【００２１】
また、上部ストラップブラケット８の側部にはリアケーススピーカ用穴２５が設けられている。
【００２２】
上部ストラップブラケット８の図４における上部方向には、サブ表示部３４、カメラ部３５及び照明部３６が、第２筐体３の長手方向における第１筐体２側の端部側において、第２筐体３の短手方向にほぼ一直線に配置されている。
これらの部材を第２筐体３の長手方向における第１筐体２側の端部側に配置した理由は次の通りである。
まず、サブ表示部３４はユーザが外部からそれを視認する必要があり、これを妨害するような部材があっては、サブ表示部３４はその機能を発揮できない。
また、同様に、カメラ部３５にしても動画の撮影時又は写真撮影時にその視界を害する部材がカメラ部３５の近傍に存在すること、カメラ部３５はその機能を発揮できない。
さらに、同様に、照明部３６にしても照明と照射対象物との間に障害物があってはその機能を発揮できない。
【００２３】
ここで、ベルトストラップ４０は帯状を成しており、従来用いられてきた紐状のストラップに比べ、多くの面積を有している。それゆえ、ベルトストラップ４０はサブ表示部３４、カメラ部３５及び照明部３６の機能を害する部材となってしまう。
そこで、図４のように、上部ストラップブラケット８及び下部ストラップブラケット９によってベルトストラップ４０が配置される位置よりも外側に、サブ表示部３４、カメラ部３５及び照明部３６を配置している。
【００２４】
なお、ここでサブ表示部３４、カメラ部３５及び照明部３６を記載したが、これにとどまるものではなく、ベルトストラップ４０の存在によって機能的に影響を受けるおそれがあるものであれば、同様に、図４のように、上部ストラップブラケット８及び下部ストラップブラケット９によってベルトストラップ４０が配置される位置よりも外側に配置することができる。たとえば、非接触式ＩＣカードのアンテナなどである。
【００２５】
また、バッテリー１２をユーザが取り出すことはまれであり、取り出す場合であってもユーザがベルトストラップ４０に指又は掌を通した状態で行うことはないのであるから、上部ストラップブラケット８及び下部ストラップブラケット９の間にバッテリー収納部１１が配置されていても何ら問題は生じない。
そこで、上部ストラップブラケット８及び下部ストラップブラケット９の間にバッテリー収納部１１が配置される構成としている。
同じく、スピーカ１６付近にベルトストラップ４０を配置しても、多少音量は小さくなるとしても、その機能が発揮することができなくなることはないのであるから、スピーカ１６を上部ストラップブラケット８又は下部ストラップブラケット９の近傍又は内側部分に配置することができる。そこで、図４の様に上部ストラップブラケット８の近傍に配置している。
以上の例では、スピーカ１６及びバッテリー１２のみを記載してきたが、必ずしもこれらに限る必要はなく、ベルトストラップ４０が存在してもその機能に大きな支障がない部材であれば、上部ストラップブラケット８又は下部ストラップブラケット９の近傍又は内側部分に配置することができる。たとえば、メモリーカード、マイクロフォンなどである。
【００２６】
図５は図４におけるＶ−Ｖの断面図である。
【００２７】
この断面図からも分かるように、バッテリー１２は携帯電話機１内でかなりの容量を占める部材であり、内部側方向ＩＰＲＣの第２筐体３の厚さの約６〜７割を占める長さを有している。
一方、上部ストラップブラケット８及び下部ストラップブラケット９は第２筐体３から突出しない構造、つまり、第２筐体リアケース７の表面より内部側に抜け穴構造の穴部分を有している。このような構造とした場合には、上部ストラップブラケット８及び下部ストラップブラケット９は、内部側方向ＩＰＲＣに第２筐体３の厚さの３割程度の長さを必要とする部材となっている。
つまり、バッテリー１２、上部ストラップブラケット８及び下部ストラップブラケット９は内部側方向ＩＰＲＣに長さを必要とする部材であることになる。
【００２８】
また、図５からバッテリー１２は第２筐体３の短手方向においても８〜９割の長さを必要とする部材である。
一方、上部ストラップブラケット８及び下部ストラップブラケット９もベルトストラップ４０を係止するためのものであるから、同じく、第２筐体３の短手方向において５〜６割もの長さを必要とする。
つまり、バッテリー１２、上部ストラップブラケット８及び下部ストラップブラケット９は第２筐体３の短手方向にも長さを必要とする部材である。
【００２９】
以上からすると、バッテリー１２、上部ストラップブラケット８及び下部ストラップブラケット９は、内部側方向ＩＰＲＣにも第２筐体３の短手方向にも相当な長さを必要とする部材という点で共通する部材であることになる。
そこで、これらの部材をできるだけ一ヵ所に集積すると、スペースを有効活用することができることになる。そして、スペースを有効利用できるということは、携帯電話機１を小型化することができるということでもある。
【００３０】
集積方法として、バッテリー１２、上部ストラップブラケット８、下部ストラップブラケット９の順とすることが考えられるが、このように配置してしまうとベルトストラップ４０を十分に固定することができない。
なぜなら、ベルトストラップ４０は上部ストラップブラケット８及び下部ストラップブラケット９によって携帯電話機１の筐体部分に固定されている。そして、ユーザは筐体とベルトストラップ４０との間に指又は手の平を挿入することによって、ユーザは携帯電話機１を把持している。
このような方法によって携帯電話機１は把持している場合には、バッテリー１２、上部ストラップブラケット８、下部ストラップブラケット９の順とすると指又は掌を入れる空間を十分に取ることができない。
そこで、上部ストラップブラケット８及び下部ストラップブラケット９の間にバッテリー１２を配置する。
また、バッテリー１２は、第２筐体３の長手方向の長さも約５〜６割を必要とする。そして、その長手方向の長さは指又は掌を挿入するのに適当な長さでもあることからも上部ストラップブラケット８及び下部ストラップブラケット９の間にバッテリー１２を配置することが適当である。
【００３１】
また、上部ストラップブラケット８及び下部ストラップブラケット９は第２筐体リアケース７から突出しない構造としている。
このような構造とすることで、携帯電話機１の外観を良くする効果を有すると同時に、ベルトストラップ４０を使用しないユーザには不要な突起部分がなくなるという利点がある。
【００３２】
さらに、バッテリー１２は携帯電話機１内でかなりの重量を占めている。つまり携帯電話機１の重心はバッテリー部分内部又はその近傍に位置する。
そして、上部ストラップブラケット８及び下部ストラップブラケット９はバッテリー１２を間に挟んで配置されているのであるから、上部ストラップブラケット８及び下部ストラップブラケット９の間に携帯電話機１の重心が位置していることにもなる。
そうすると、携帯電話機１の重心位置を間に挟んで携帯電話機１の保持部材である上部ストラップブラケット８及び下部ストラップブラケット９が配置されているのであるから、ベルトストラップ４０によって、より安定した状態でユーザが携帯電話機１を保持することができる。
【００３３】
また、第２筐体３内部には操作部３９とバッテリー１２を区切るための内部筐体３８が配置されている。
【００３４】
図６は、バッテリーカバー１０及びバッテリー１２を除去した第２筐体リアケース７を見た外観斜視図である。
【００３５】
バッテリーカバー１０が配設される位置にはバッテリー収納部１１があり、この空間にＩＣカードホルダ１３及び規制部１５が面している。
ＩＣカードホルダ１３及び規制部１５は隣接して配置されている。
ここで、規制部１５は、ＩＣカードホルダ１３に後述するＩＣカード３０を収納するＣカードトレイを円滑にスライドする機能を有する。
【００３６】
ここで、ＩＣカード３０とは、携帯電話機１の電話番号の情報等を記憶しているカードである。携帯電話機１を交換する時には、これを抜いて他の携帯電話機１に差し込むことで、同一の電話番号によって発信及び着信できるようにするものである。
また、このＩＣカード３０は、その内部の記憶素子の情報によって正しい携帯電話機１から発信されている電波であるかを認証するという認証機能も有している。
なお、ＩＣカード３０は電話番号に加えて、電話帳情報、着信履歴及び使用者のプロフィール等も記憶している場合もある。
さらになお、ＩＣカード３０にはさまざまな種類があり、例えば、ＳＩＭカード、ＵＳＩＭカード、ＩＭＳＩカード及びＰＩＭカードがある。
【００３７】
また、充電端子の接合部５０も第２筺体リアケース７には設けられており、この充電端子の接合部５０を通して充電がなされる。
【００３８】
図７は、第２筐体３を内部側から見た外観図であり、ＩＣカード３０、ＩＣカードホルダ１３、上部ストラップブラケット８、スピーカ１６を取り付ける場面を表したものである。
【００３９】
ＩＣカードホルダ１３は、上部ストラップブラケット８の後述するＩＣカードホルダ収納部１９に収納される。
【００４０】
上部ストラップブラケット８は第１ネジ１７及び第２ネジ１８によって、第２筐体リアケース７に固定される。また、上部ストラップブラケット８には後述するスピーカ収納部２０を有しこの部分にスピーカ１６が収納される。
【００４１】
ところで、スピーカ１６は金属製の材料から構成される場合が多く、第１筐体２及び第２筐体３を構成するプラスチック材料に比べると、強度が高い半面、外力による変形が生ずると、プラスチック材料に比べて容易に塑性変形してしまうという性質を有する。
この性質のため、携帯電話機１に外力が加わり携帯電話機１が変形したとし、その外力が除去された場合に、プラスチック材料から構成される携帯電話機１の第１筐体２及び第２筐体３は外力が加わる前の状態に戻ることができたとしても、前記性質のためスピーカ１６は塑性変形してしまいその変形が残留してしまうことが生じる。
この事態を避けるために、スピーカ１６を強度の高い材料から構成される上部ストラップブラケット８に収納する。つまり、スピーカ１６を強度の高い上部ストラップブラケット８によって保護することによって、スピーカ１６に不要な外力が加わり、スピーカ１６が変形、さらには変形による塑性変形を防いでいる。
【００４２】
また、リアケーススピーカ用穴２５のまわりの部分は、リアケーススピーカ用穴２５が空けられていることから、第２筐体リアケース７の中でも強度が弱い部分である。
そのため、この部分が最悪のばあい毀損する可能性が高い。その場合であっても、スピーカ１６を保持する上部ストラップブラケット８が強度の高い材料から構成されていることから、スピーカ１６を保護し、変形及び棄損を防ぐことができる。
【００４３】
図８は、第２筐体リアケース７の拡大斜視図である。具体的には、第２筐体リアケース７に上部ストラップブラケット８を第１ネジ１７及び第２ネジ１８を用いて組み付け、さらに上部ストラップブラケット８にスピーカ１６をも嵌めこんだ状態で、その部分を拡大したものである。
【００４４】
上部ストラップブラケット８の図８の左側部分に第２ネジ１８が配置され、この第２ネジ１８を螺着することによって第２筐体リアケース７と上部ストラップブラケット８とを結合している。
【００４５】
また、上部ストラップブラケット８の図８の中央部右下部分に第１ネジ１７が配置され、この第１ネジ１７を螺着することによって第２筐体リアケース７と上部ストラップブラケット８とを結合している。
この第１ネジ１７の近傍、具体的には右上部分にはスピーカ１６が配設されている。スピーカ１６と第２ネジ１８との間には他の部分より凹んだ部分を有しており、この部分にＩＣカードホルダ１３が収納されるＩＣカードホルダ収納部１９が形成される。
また、第１ネジ１７の近傍にはＩＣカードトレイの振れを防止するために規制部１５が配設されている。
また、ＩＣカードトレイの振れを第２筐体リアケース７側で防止するのが、リアケース側規制部２６である。
【００４６】
このように、第１ネジ１７を規制部１５の近傍に配置したことによって、規制部１５を強固に固定することができる。つまり、単に規制部１５があることによってもＩＣカードトレイの振れを防止することはできるが、規制部１５自体が強固に固定されていることによって、より確実にＩＣカードトレイの振れを防止できる。
また、第１ネジ１７と第２ネジ１８とが、対角線上に配置されることによって、より強固に第２筐体リアケース７と上部ストラップブラケット８とを結合することができる。
さらにまた、第１ネジ１７はスピーカ収納部２０と規制部１５とのほぼ中間に配置されている。これによって、規制部１５を固定するとともに同時にスピーカ収納部２０をも強固に固定している。
【００４７】
図９は、上部ストラップブラケット８の拡大図である。具体的には、図９（ａ）は外部側方向から見た上部ストラップブラケット８であり、図９（ｂ）は内部側方向から見た上部ストラップブラケット８である。
【００４８】
まず、図９（ａ）から説明をする。
上部ストラップブラケット８の中央部分には長方形の断面をした棒状のストラップ取付部２１が配設されている。そして、このストラップ取付部２１をストラップブラケットベース部２８に取り付けるために、ストラップ取付部支持部２７が配設される。
このストラップ取付部支持部２７のストラップ取付部２１側の面、及び、ストラップブラケットベース部２８のストラップ取付部２１側の面は、上部ストラップブラケット８を第２筐体リアケース７に組み付けたときに、携帯電話機１の外側表面を構成する。
つまり、ストラップ取付部支持部２７のストラップ取付部２１側の面、ストラップブラケットベース部２８のストラップ取付部２１側の面、及び、図１０の第２筐体リアケース７のストラップ取付穴側面部３３によって、第２筐体リアケース７には第２筐体リアケース７の他の面よりも凹んだ空間を形成する。そして、その空間を貫通するようにストラップ取付部２１が伸びている。
他の表現を用いると、第２筐体リアケース７の表面から潜っていった穴が同じ表面に再び出ているＵ字状のトンネル、つまり抜け穴になっている。
ストラップ取付部２１はこの部分にベルトストラップ４０を回して、ベルトストラップ４０を取り付けるためのものである。
【００４９】
ストラップ取付部２１の外部に出ている露出面は、第２筺体リアケース７の表面と同一面上又は表面よりも内部側に形成する。
ストラップ取付部２１を第２筺体リアケース７の表面と同一面又は内部側に形成することによって、ストラップ取付け部２１が第２筺体リアケース７から突出しないのであるから、美観を害することもないし、突出部分を何かに引っかけてしまうこともない。
【００５０】
第１ネジ貫通穴２３は第１ネジ１７を通すためのものであり、第２ネジ貫通穴２２は第２ネジ１８を通すためのものである。第１ネジ１７と第２ネジ１８は対角線上に配置されるので、第１ネジ貫通穴２３と第２ネジ貫通穴２２も同じく対角線上に配置される。
第１ネジ貫通穴２３の近傍には、ストラップ取付部２１の長手方向に延びている規制部１５が配置されている。
【００５１】
図９（ａ）において、第１ネジ貫通穴２３とストラップ取付部２１の左側にはスピーカ用穴２４が穿かれている。このスピーカ用穴２４を通ってスピーカ１６によって発生された音声が外部に伝達される。なお、このスピーカ用穴２４の位置は図４でのリアケーススピーカ用穴２５と対応した位置に配設される。
スピーカ用穴２４の周りにはスピーカ用穴突起部２９が形成されている。そして、スピーカ用穴突起部２９は、上部ストラップブラケット８が第２筐体リアケース７に組みつけられたときに、第２筐体リアケース７に接触する。
そのため、第２筐体リアケース７は、強化プラスチックで形成される強度の高い上部ストラップブラケット８によって第２筐体リアケース７の内部から支えられることになり、その部分の強度が増す。つまり、図４のリアケーススピーカ用穴２５の周りが、凹むような変形を防止することができる。
【００５２】
次に、図９（ｂ）について説明する。図９（ｂ）の右側部分にはスピーカ用穴２４が穿かれていて、それに対応する部分にスピーカ１６をはめ込むためのスピーカ収納部２０が配設されている。
また、スピーカ収納部２０と第２ネジ貫通穴２２との間に、ＩＣカードホルダ収納部１９が配設されている。
【００５３】
図１０は図６のＸ−Ｘ断面図である。この図は、下部ストラップブラケット９の構造及び第２筐体リアケース７と下部ストラップブラケット９との位置関係を説明するための図である。
【００５４】
下部ストラップブラケット９のベルトストラップ４０を取り付ける部分の構造は、前述した上部ストラップブラケット８と同様である。もっとも、下部ストラップブラケット９はＩＣカードホルダ収納部１９、スピーカ収納部２０及び規制部１５を有さない。
上部ストラップブラケット８が有しない部材で下部ストラップブラケット９のみが有する部材は、延長部３２である。
延長部３２は内部側方向ＩＰＲＣに伸びており、２つある延長部３２の一方は内部筐体３８に当接している。
このように下部ストラップブラケット９の延長部３２の一部が内部筺体３８に当接するため、内部筐体３２を支持し、位置決めするという効果を有する。
【００５５】
図１１は、非接触式ＩＣカードのアンテナを配置する場合の一例を表した図である。
第２筐体リアケース７側には指又は手の平が来ることから、こちら側に非接触式ＩＣカードのアンテナを配置しても、指又は手の平が邪魔になって非接触式ＩＣカードをリーダに十分に近づけることは困難である。
そこで、上部ストラップブラケット８及び下部ストラップブラケット９が配置されるのとは反対側に非接触式ＩＣカードのアンテナ等を配置している。
これによって、ユーザは容易に携帯電話機１を非接触ＩＣカードのリーダに近づけることができる。
【００５６】
以上の実施形態によれば、携帯電話機１は、内部にバッテリー収納部が形成された第２筐体３と、第２筐体３における一方向において、バッテリー収納部１１を挟んだ両側に形成され、バッテリー収納部１１上の第２筐体３の表面上を渡してベルト状のベルトストラップ４０を懸架可能な第１及び第２のストラップブラケット（８、９）と、を有している。
そして、前記第１及び第２のストラップブラケット（８，９）は、外部側の露出面が第２筐体３の厚さ方向において当該第２筐体３の表面と略同一又は当該表面より内方に形成され、ベルトストラップ４０が懸架されるストラップ取付部２１がそれぞれ形成されている。
このような構造によって、ユーザは携帯電話機１を確実に把持することができる。さらに、上部ストラップブラケット８及び下部ストラップブラケット９が筐体から突出しないのであるから、美観を害することもないし、突出部分を何かに引っかけてしまうこともない。
加えて、相当な容積を占める上部ストラップブラケット８及び下部ストラップブラケット９は、同じく相当な容積占めるバッテリー１２の近傍に配置され、一か所に大型部品を集中することができるので、携帯電話機１を小型化することができる。
【００５７】
また、第１及び第２のストラップブラケット（８、９）は、それぞれストラップ取付部２１と対向するように第２筐体３の内部位置に形成されたストラップブラケットベース部２８と、を有する。
そして、ストラップ取付部２１を挟んで前記筐体表面から前記ストラップブラケットベース部２８に接続するように形成され、ストラップブラケットベース部２８を含んでベルトストラップ４０をストラップ取付部２１に巻回し可能な巻回空間を形成するストラップ取付部支持部２７と、を有する。
このような構成によって、上部ストラップブラケット８とのストラップ取付部２１が一体的に構成されることになるのであるから、ストラップ取付部２１の強度を上げることができる。
【００５８】
また、第１及び第２のベルトストラップ取付け部（８、９）の一方は、ストラップブラケットベース部２８のストラップ取付部支持部２７との接続側と反対側が延接され、第２筐体３の内部筐体３８に一部が当接するように形成された延長部３２を有する。
このような構成によって、下部ストラップブラケット９の延長部３２の一部が内部筺体３８に当接するため、内部筐体３２を支持し、位置決めすることができる。
【００５９】
また、サブ表示部３４と、カメラ部３５と、を有し、サブ表示部３４及びカメラ部３５は、前記上部ストラップブラケット８及び下部ストラップブラケット９よりも外部側に配設される。
これによって、ベルトストラップ４０が有っても撮影すること又はサブ表示部３４を確認することに支障が生じない。
【００６０】
また、第１筐体２は非接触式ＩＣカード用のアンテナを有し、前記非接触式ＩＣカード用のアンテナは、前記上部ストラップブラケット８、前記下部ストラップブラケット９及びバッテリー収納部１１が配設されている側とは反対側に配設されている。
これによって、ユーザは容易に携帯電話機１を非接触ＩＣカードのリーダに近づけることができる。
【００６１】
なお、以上の実施形態において、第２筐体リアケース７は本発明の筐体の一例である。
上部ストラップブラケット８は第１ストラップ取付け部の一例であり、下部ストラップブラケット９は第２ストラップ取付け部の一例である。
そして、第１ベルトストラップ取付け部及び第２ベルトストラップ取付け部は必ずしも上下方向に配置されている必要はなく、左右方向であってもよい。
【００６２】
本発明は、以上の実施形態に限定されず、種々の態様で実施されてよい。
【００６３】
携帯電子機器は、携帯電話機１に限定されない。例えば、携帯電子機器は、ノートパソコン、ＰＤＡ、ゲーム機、カメラであってもよい。また、携帯電子機器は、折り畳み式のものに限定されない。ケースが一体的に構成されたもの（１つのみのケース）であってもよい
【００６４】
本発明において、第１筐体２又は第２筐体３のいずれか１つのみを筐体と観念することもできる。また、第１筐体２及び第２筐体３を一体とみて、第１筐体２及び第２筐体３全体を筐体と観念することもできる。さらに、携帯電話機１は、折り畳み式でなくてもよく、一つの筐体からなるものであってもよい。
したがって、上部ベルトストラップ取付け部、ベルトストラップ取付け部及びバッテリー収納部１１（以下、「ストラップ取付け部等」という。）が配設されている側とは反対側というのは、第２筐体リアケース７にストラップ取付け部等が配置されている場合には、第２筐体フロントケース６又は第１筐体リアケース５側となる。
また、折り畳み式ではなく一つの筐体から成る携帯電話機１の場合には、フロントケース側にストラップ取付け部等が配置されているのであれば、ストラップ取付け部等が配設されている側とは反対側というのは、フロントケース側となる。
【符号の説明】
【００６５】
１…携帯電話機、２…第１筐体、３…第２筐体、４…第１筐体フロントケース、５…第１筐体リアケース、６…第２筐体フロントケース、７…第２筐体リアケース、８…上部ストラップブラケット（第１のストラップブラケット）、９…下部ストラップブラケット（第２のストラップブラケット）、１０…バッテリーカバー、１１…バッテリー収納部、１２…バッテリー、１３…ＩＣカードホルダ、１６…スピーカ、１７…第１ネジ、１８…第２ネジ、１９…ＩＣカードホルダ収納部、２０…スピーカ収納部、２１…ストラップ取付部、２２…第２ネジ貫通穴、２３…第１ネジ貫通穴、２４…スピーカ用穴、２５…リアケーススピーカ用穴、２６…リアケース側規制部、２７…ストラップ取付部支持部、２８…ストラップブラケットベース部、２９…スピーカ用穴突起部、３０…ＩＣカード、３１…ＩＣカードの端子、３２…延長部、３３…ストラップ取付穴側面部、３４…サブ表示部、３５…カメラ部、３６…照明部、３７…充電端子、３８…内部筐体、３９…操作部、４０…ベルトストラップ、４１…非接触式ＩＣカードアンテナ取付け部、５０…充電端子の接合部
【図１】
2010171731.tif 000003
【図２】
2010171731.tif 000004
【図３】
2010171731.tif 000005
【図４】
2010171731.tif 000006
【図５】
2010171731.tif 000007
【図６】
2010171731.tif 000008
【図７】
2010171731.tif 000009
【図８】
2010171731.tif 000010
【図９】
2010171731.tif 000011
【図１０】
2010171731.tif 000012
【図１１】
2010171731.tif 000013